(57)【要約】【課題】  従来の撮影装置では、操作が煩わしいという問題があった。【解決手段】  画像を表示する表示部と、前記表示部の表示面と異なる筐体面に設けられた少なくとも１つの操作部材と、前記操作部材が操作されると、操作された前記操作部材および少なくともその周囲の前記筐体面の一部を前記表示部に表示させる制御を行う表示制御手段とを備えて構成される。【選択図】  図１
2010226444.tif 000002
【特許請求の範囲】
【請求項１】
画像を表示する表示部と、
前記表示部の表示面と異なる筐体面に設けられた少なくとも１つの操作部材と、
前記操作部材が操作されると、操作された前記操作部材および少なくともその周囲の前記筐体面の一部を前記表示部に表示させる制御を行う表示制御手段と
を備えて構成される撮影装置。
【請求項２】
請求項１に記載の撮影装置において、
前記操作部材は前記筐体面に複数設けられ、
前記表示制御手段は、１つの前記操作部材が操作されると、操作された前記操作部材を含む複数の前記操作部材を前記表示部に表示させる制御を行い、
操作された前記操作部材に対する操作により、操作された前記操作部材とは異なる前記表示部に表示されている他の前記操作部材によって設定される撮影条件の設定を行わせる設定機能切換手段を備えていることを特徴とする撮影装置。
【請求項３】
請求項１または請求項２に記載の撮影装置において、
前記表示部の表示面の向きを異ならせるアングル可変手段を備えていることを特徴とする撮影装置。
【請求項４】
請求項１から請求項３のいずれか１項に記載の撮影装置において、
前記表示制御手段は前記操作部材の種類を前記表示部に表示させることを特徴とする撮影装置。
【発明の詳細な説明】
【技術分野】
【０００１】
本発明は、撮影装置に関するものである。
【背景技術】
【０００２】
従来、このような撮影装置としては、例えば、特許文献１に開示されるカメラがある。このカメラの背面液晶には、現在設定されているシャッター速度や絞り値などの撮影条件が撮影情報として表示される。また、撮影者による操作部材の操作に基づいて撮影条件が変更されると、変更された新たな撮影条件が背面液晶に表示される。撮影条件がこのように背面液晶に表示されることにより、撮影者による撮影情報の視認性や、撮影情報を視認する際のカメラを保持する姿勢の自由度の向上が図られている。
【先行技術文献】
【特許文献】
【０００３】
【特許文献１】特開２００６−１８０５７号公報
【発明の概要】
【発明が解決しようとする課題】
【０００４】
しかしながら、上記従来の撮影装置では、撮影者が、背面液晶と反対側の筐体面などに設けられた操作部材の種類や配置などを正確に記憶していない場合、所望の操作部材を操作するには、操作部材が設けられた筐体面を目視できる位置まで撮影装置を引き寄せて操作部材の種類や配置を確認するか、または、やみくもに操作部材を操作して手探りするといった無駄な動作を行わなければならない。この結果、上記従来の撮影装置では、操作が煩わしいという問題があった。
【課題を解決するための手段】
【０００５】
本発明はこのような課題を解決するためになされたもので、
画像を表示する表示部と、
表示部の表示面と異なる筐体面に設けられた少なくとも１つの操作部材と、
操作部材が操作されると、操作された操作部材および少なくともその周囲の筐体面の一部を表示部に表示させる制御を行う表示制御手段と
を備えて撮影装置を構成した。
【０００６】
この構成によれば、表示部の表示面と異なる筐体面に設けられた操作部材が操作されると、表示制御手段の制御により、操作された操作部材および少なくともその周囲の筐体面が表示部に表示される。このため、表示部の表示面と異なる筐体面に設けられた操作部材を、撮影者が対面する表示部の表示面で視認することが可能になる。従って、撮影者が、背面液晶と反対側の筐体面などに設けられた操作部材の種類や配置などを正確に記憶していない場合でも、従来の撮影装置のように、操作部材が設けられた筐体面を目視できる位置まで撮影装置を引き寄せたり、やみくもに操作部材を操作して手探りするといった無駄な動作を行うことなく、操作部材を操作することができる。
【０００７】
また、本発明は、
操作部材が筐体面に複数設けられ、
表示制御手段が、１つの操作部材が操作されると、操作された操作部材を含む複数の操作部材を表示部に表示させる制御を行い、
操作された操作部材に対する操作により、操作された操作部材とは異なる表示部に表示されている他の操作部材によって設定される撮影条件の設定を行わせる設定機能切換手段を備えていることを特徴とする。
【０００８】
この構成によれば、表示部の表示面と異なる筐体面に設けられた１つの操作部材が操作されると、表示制御手段の制御により、操作された操作部材を含む複数の操作部材が表示部に表示される。この際、設定機能切換手段により、操作された操作部材に対する操作に基づき、操作された操作部材とは異なる他の操作部材によって設定される撮影条件の設定が行える。このため、表示部の表示面と異なる筐体面に設けられた複数の操作部材の中から、誤って所望の操作部材とは異なる操作部材を操作した場合であっても、改めて所望の操作部材に対して操作し直すことなく、所望の操作部材によって設定される撮影条件の設定を、誤って操作した操作部材に対する操作によってそのまま行うことが可能になる。この結果、誤って所望の操作部材とは異なる操作部材を操作した場合であっても、目的とする撮影条件の設定を迅速に行うことができ、好適な撮影機会を逸してしまうことはない。
【０００９】
また、本発明は、表示部の表示面の向きを異ならせるアングル可変手段を備えていることを特徴とする。
【００１０】
この構成によれば、表示部の表示面の向きは、アングル可変手段によって様々な向きに変化させられる。従って、表示制御手段によって表示部の表示面に表示される、操作された操作部材および少なくともその周囲の筐体面は、様々な方向から視認できる。このため、表示部の表示面を下向きにした状態で撮影装置を頭上などの高い位置に構えて行うハイアングル撮影や、表示部の表示面を上向きにした状態で撮影装置を足元などの低い位置に構えて行うローアングル撮影などのように、表示部の表示面の向きを異ならせて撮影を行う場合であっても、撮影者は、表示部の表示面と異なる筐体面に設けられた操作部材を、対面する表示部の表示面で視認して操作することができる。
【００１１】
また、本発明は、表示制御手段が操作部材の種類を表示部に表示させることを特徴とする。
【００１２】
この構成によれば、表示部の表示面には、表示制御手段により、操作された操作部材およびその周囲の筐体面と共に、操作部材の種類が表示される。このため、撮影者は、表示部の表示面と異なる筐体面に設けられた操作部材について、その配置と種類とを把握することができ、撮影条件の設定をより迅速に行うことができる。
【発明の効果】
【００１３】
本発明によれば、使用者にとって操作性に優れた撮影装置を提供することができる。
【図面の簡単な説明】
【００１４】
【図１】本発明の一実施の形態によるデジタルカメラの電気回路構成の概略を示すブロック図である。
【図２】図１に示すデジタルカメラの概略の側面図である。
【図３】図１に示すデジタルカメラのＣＰＵによってライブビュー撮影モードにおいて行われる撮影処理の概略を示すフローチャートである。
【図４】図３，Ｓ７の表示処理の詳細を示すフローチャートである。
【図５】図４，Ｓ２２のハイアングル表示処理の詳細を示すフローチャートである。
【図６】図５，Ｓ３２の表示処理Ａの詳細を示すフローチャートである。
【図７】図１に示すデジタルカメラにおいて、押下されたと判別されたライティング調整ボタンとその周囲の筐体面が背面モニタの表示面に表示された状態を示す図である。
【図８】図５，Ｓ３４および図６，Ｓ４７の表示処理Ｂの詳細を示すフローチャートである。
【図９】図１に示すデジタルカメラにおいて、押下されたと判別された露出補正ボタンとその周囲の筐体面が背面モニタの表示面に表示された状態を示す図である。
【発明を実施するための形態】
【００１５】
次に、本発明による撮影装置をデジタルカメラに適用した場合における一実施の形態について説明する。
【００１６】
図１は、この一実施の形態によるデジタルカメラ１の電気回路構成の概略を示すブロック図である。
【００１７】
デジタルカメラ１は、ＣＰＵ（Central Processing Unit）２、ＥＥＰＲＯＭ（Electrically Erasable Programmable Ｒead Ｏnly Ｍemory）などで構成される不揮発性メモリ３、およびＲＡＭ（Random Access Memory）などで構成されるバッファメモリ４を備えている。不揮発性メモリ３には、ＣＰＵ２が種々の制御を行う際に参照される制御プログラムなどが格納されている。ＣＰＵ２は、不揮発性メモリ３に格納されている制御プログラムに従い、バッファメモリ４を一時記憶作業領域として回路各部の制御を行い、デジタルカメラ１の種々の装置機能を作動させる。
【００１８】
被写体からの光は、デジタルカメラ１の筐体の前面に装着されて光学系を構成するレンズユニット５を介して、デジタルカメラ１内に取り込まれる。デジタルカメラ１内に取り込まれた被写体光は、ミラー６およびシャッター７を介して撮像部８の撮像面８ａ上に結像する。撮像部８は、ＣＣＤ（Charge Coupled Device）やＣＭＯＳ（Complementary Metal Oxide Semiconductor）などからなり、撮像部８の撮像面８ａ上に結像した被写体像は、アナログの撮像信号に変換される。変換された撮像信号は、Ａ／Ｄ変換部９においてデジタル信号に変換される。画像処理部２３は、Ａ／Ｄ変換部９でデジタル信号に変換された撮像信号を取得し、取得した撮像信号に対して、ホワイトバランス処理やガンマ補正などの画像処理を行って、撮影された画像の画像データを生成する。画像処理部２３によって生成された画像データは、ＣＰＵ２により、圧縮処理が施されてバッファメモリ４に格納されると共に、デジタルカメラ１に着脱自在なメモリカード１１に、Ｉ／Ｆ（インタフェース）回路１０を介して記録される。
【００１９】
デジタルカメラ１の筐体の背面には、ＴＦＴ（Thin Film Transistor）液晶からなる背面モニタ１２が設けられている。デジタルカメラ１は、図示しない光学ファインダで被写体の構図を取って撮影を行う通常撮影モード、または、背面モニタ１２で被写体の構図を取って撮影を行うライブビュー撮影モードを選択できる。ライブビュー撮影モードが選択された場合、背面モニタ１２には、撮像部８の撮像面８ａで撮像されて画像処理および圧縮処理が行われ、バッファメモリ４に一時記憶された撮像画像が読み出されて、スルー画として表示される。また、背面モニタ１２には、デジタルカメラ１に設定されているシャッター速度や絞り値などの撮影条件が撮影情報として表示される。背面モニタ１２は、画像を表示する表示部を構成している。背面モニタ１２は、デジタルカメラ１の筐体に対して表示面の向きを変化させることができるように筐体に取り付けられている。
【００２０】
図２（ａ），（ｂ），（ｃ）は、デジタルカメラ１の概略の側面図である。なお、同図において図１と同一または相当する部分には同一の符号を付してその説明は省略する。
【００２１】
背面モニタ１２は、その下端がデジタルカメラ１の筐体背面下部に枢支軸２２によって２方向に回動自在に取り付けられている。この枢支軸２２により、背面モニタ１２の表示面１２ａは、背面モニタ１２の上端が同図（ｂ）に示すようにｘ方向に回動されることで、所望の開き角度Ｘに開く。また、背面モニタ１２は、枢支軸２２により、同図（ｂ）に示すｙ方向にねじれ回転する構成になっている。背面モニタ１２は、デジタルカメラ１の筐体背面から開き角度Ｘだけ開いた同図（ｂ）に示す状態から、さらにｙ方向に１８０°のねじれ角度Ｙで回転させられると、その表示面１２ａは、同図（ｃ）に示すように上向きの状態となる。枢支軸２２は、背面モニタ１２の表示面１２ａの向きを異ならせるアングル可変手段を構成している。デジタルカメラ１の筐体背面に対する背面モニタ１２の開き角度Ｘおよびねじれ角度Ｙは、それぞれ、図１に示す開き角度検出部１３およびねじれ角度検出部１４によって検出され、ＣＰＵ２へ出力される。
【００２２】
また、ＣＰＵ２には、シャッターボタン１５や、ライティング調整ボタン１６、露出補正ボタン１７、撮影モードダイヤル１８、コマンドダイヤル１９、マルチセレクタ２０などの操作部材が接続されている。
【００２３】
シャッターボタン１５は、半押しされると、オートフォーカス（Auto Focus）機能を作動させ、全押しされると、撮像部８の撮像面８ａに被写体像を所定時間露光させて、被写体の撮影を行わせる。ライティング調整ボタン１６は、輝度差の大きな撮影シーンにおけるハイライト部分の白とびやシャドウ部分の黒つぶれを抑える局所的な階調コントロール機能のオン・オフを、設定する際に操作される。露出補正ボタン１７は、オート露出時に露出値を所望の値に補正して露出調整を行う際に操作される。撮影モードダイヤル１８は、接写撮影や逆光撮影、夜景撮影といった予め設定された複数の撮影モードの中から、そのときの撮影状況に応じて適切な撮影モードを選択する際に操作される。コマンドダイヤル１９は、上述したライティング調整ボタン１６が操作されている状態で操作されると、上記の局所的な階調コントロール機能の作動を“オン”または“オフ”に切り換え、露出補正ボタン１７が操作されている状態で操作されると、その操作量および操作方向に応じて露出値をプラス補正またはマイナス補正する。また、マルチセレクタ２０は、上下方向および左右方向といった操作方向を検出する方向キーからなり、メニュー画面におけるメニュー項目の選択や、再生する撮影画像の選択などを行う際に操作される。
【００２４】
本実施形態では、ライティング調整ボタン１６および露出補正ボタン１７は、背面モニタ１２の表示面１２ａと異なる筐体面に設けられた操作部材を構成している。また、ＣＰＵ２は、ライティング調整ボタン１６または露出補正ボタン１７が操作されると、操作されたボタン１６または１７、および少なくともその周囲の筐体面の一部を背面モニタ１２に表示させる制御を行う表示制御手段を構成している。本実施形態では、ボタン１６および１７は、背面モニタ１２の表示面１２ａと異なる筐体面に複数設けられており、表示制御手段は、１つのライティング調整ボタン１６または露出補正ボタン１７が操作されると、操作されたボタン１６または１７を含む複数の操作部材を背面モニタ１２に表示させる制御を行うと共に、ボタン１６および１７の種類を、ボタン１６および１７に描かれたアイコンによって背面モニタ１２に表示させる制御を行う。また、マルチセレクタ２０およびＣＰＵ２は、操作された一方のボタン１６または１７に対する操作により、操作された一方のボタン１６または１７とは異なる、背面モニタ１２に表示されている他のボタン１７または１６によって設定される撮影条件の設定を行わせる設定機能切換手段を構成している。
【００２５】
図３は、上述したライブビュー撮影モードにおいて、ＣＰＵ２によって行われる撮影処理の概略を示すフローチャートである。
【００２６】
撮影モードがライブビュー撮影モードに切り換えられると、まず、ＣＰＵ２は、図３，Ｓ１において、被写体光を光学ファインダ側に導くミラー６を所定の退避位置まで移動させるミラーアップ処理を行い、被写体光を撮像部８に入射させる。続いて、ＣＰＵ２は、Ｓ２において、シャッター７を開放する処理を行って、撮像部８によって被写体像を撮影し、Ｓ３において、バッファメモリ４から読み出した撮影画像を背面モニタ１２に表示させるライブビュー撮影を開始させる。続いて、ＣＰＵ２は、Ｓ４において、ライブビュー撮影モードを終了させる操作が撮影者によって行われて、ライブビュー撮影が終了されたか否かを判別する。
【００２７】
ライブビュー撮影が終了されていなくて、Ｓ４の判別が“ＮＯ”である場合、ＣＰＵ２は、Ｓ６において、被写体光を測光して適正露出の算出を行うと共に、レンズユニット５の焦点距離を調節する処理を行う。続いて、ＣＰＵ２は、Ｓ７において、Ｓ６で算出された露出値および調節された焦点距離を背面モニタ１２に表示させると共に、後述する表示処理を行う。Ｓ７の表示処理が終了すると、ＣＰＵ２は、Ｓ８において、シャッターボタン１５が全押しされたか否かを判別する。この判別が“ＹＥＳ”である場合、ＣＰＵ２は、Ｓ９において撮像処理を行う。撮像処理では、ＣＰＵ２は、撮像部８から出力される撮像信号に対して、上述した画像処理を画像処理部２３に行わせる。続いて、ＣＰＵ２は、Ｓ９の撮像処理によって生成された画像データをバッファメモリ４に格納し、Ｓ１０において、この画像データをメモリカード１１に記録する処理を行う。シャッターボタン１５が全押しされていなくてＳ８の判別が“ＮＯ”である場合、またはＳ１０の処理が終了すると、処理はＳ４に戻り、上述した処理が繰り返される。
【００２８】
一方、ライブビュー撮影の終了操作が撮影者によって行われて、Ｓ４の判別が“ＹＥＳ”である場合、ＣＰＵ２は、Ｓ５において、Ｓ１の処理で退避位置に移動させたミラー６を元の位置に戻すミラーダウン処理を行い、撮影処理を終了する。
【００２９】
図４は、図３，Ｓ７の表示処理の詳細を示すフローチャートである。
【００３０】
この表示処理では、まず、ＣＰＵ２は、図４，Ｓ２１において、開き角度検出部１３から背面モニタ１２の開き角度Ｘ（図２（ｂ）参照）を受信する。そして、受信した角度信号に基づき、デジタルカメラ１の筐体背面に対する背面モニタ１２の開き角度Ｘが１６０°から２００°の範囲にあって、背面モニタ１２の表示面１２ａが図２（ｂ）に示すように下向きになっているか否かを判別する。開き角度Ｘが１６０°から２００°の範囲にあって、この判別が“ＹＥＳ”である場合、ＣＰＵ２は、ハイアングル撮影が行われていると判断し、Ｓ２２において、後述するハイアングル表示処理を行う。一方、開き角度Ｘが１６０°から２００°の範囲になくて、Ｓ２１の判別が“ＮＯ”である場合、ＣＰＵ２は、ハイアングル撮影が行われていないものと判断し、Ｓ２３において、通常の表示処理を行う。この通常の表示処理では、上述したように、撮像部８で撮影された撮影画像が背面モニタ１２にスルー画として表示される。Ｓ２２またはＳ２３の処理が終了すると、表示処理は終了する。
【００３１】
図５は、図４，Ｓ２２のハイアングル表示処理の詳細を示すフローチャートである。
【００３２】
このハイアングル表示処理では、まず、ＣＰＵ２は、図５，Ｓ３１において、ボタンＡ、例えばライティング調整ボタン１６が押下されているか否かを判別する。ライティング調整ボタン１６が押下されていて、この判別が“ＹＥＳ”である場合、ＣＰＵ２は、Ｓ３２において、後述する表示処理Ａを行う。一方、ライティング調整ボタン１６が押下されていなくて、Ｓ３１の判別が“ＮＯ”である場合、ＣＰＵ２は、Ｓ３３において、ボタンＢ、例えば露出補正ボタン１７が押下されているか否かを判別する。露出補正ボタン１７が押下されていて、この判別が“ＹＥＳ”である場合、ＣＰＵ２は、Ｓ３４において、後述する表示処理Ｂを行う。一方、露出補正ボタン１７が押下されていなくて、Ｓ３３の判別が“ＮＯ”である場合、処理はＳ３１に戻る。Ｓ３２またはＳ３４の処理が終了すると、ハイアングル表示処理は終了する。
【００３３】
図６は、図５，Ｓ３２の表示処理Ａの詳細を示すフローチャートである。
【００３４】
この表示処理Ａでは、まず、ＣＰＵ２は、図６，Ｓ４１において、図５，Ｓ３１の処理で押下されたと判別されたボタンＡのライティング調整ボタン１６とその周囲の筐体面を、図７（ａ）に示すように背面モニタ１２の表示面１２ａに表示する処理を行う。なお、同図（ａ）において図１と同一または相当する部分には同一の符号を付してその説明は省略する。同図（ａ）に示す例では、押下されたと判別されたライティング調整ボタン１６は点滅表示されている。また、表示面１２ａの右下方の情報表示欄２１には、押下されたボタンの種類を示すアイコンと共に、ライティング調整ボタン１６による現在の階調コントロール機能の設定が“ＯＮ（オン）”になっている設定状態が表示されている。
【００３５】
Ｓ４１の処理が終了すると、ＣＰＵ２は、Ｓ４２において、ライティング調整ボタン１６が押下されたままの状態でマルチセレクタ２０が右方向に操作されたか否かを判別する。マルチセレクタ２０が右方向に操作されて、Ｓ４２の判別が“ＹＥＳ”である場合、ＣＰＵ２は、Ｓ４７において、後述する表示処理Ｂを行う。また、マルチセレクタ２０が操作されていなくて、Ｓ４２の判別が“ＮＯ”である場合、ＣＰＵ２は、Ｓ４３において、ライティング調整ボタン１６に対する押下操作が解除されたか否かを判別する。ライティング調整ボタン１６に対する押下操作が解除されていなくて、Ｓ４３の判別が“ＮＯ”である場合、ＣＰＵ２は、Ｓ４５において、ライティング調整ボタン１６が押下されたままの状態でコマンドダイヤル１９が１クリック操作されたか否かを判別する。この判別が“ＹＥＳ”である場合、ＣＰＵ２は、Ｓ４６において、階調コントロール機能の設定状態をオンからオフに変化させ、図７（ａ）に示すように情報表示欄２１に“ＯＮ”として表示されていた設定状態を、同図（ｂ）に示すように“ＯＦＦ（オフ）”と表示させる。このＳ４６の処理は、ライティング調整ボタン１６が押下されたままの状態で、コマンドダイヤル１９が左方向または右方向に１クリック操作される毎に行われ、ライティング調整ボタン１６による階調コントロール機能の設定状態を、“オン”，“オフ”，“オン”，…というように順次切り換えて、切り換えた設定状態を表示値としてその都度情報表示欄２１に表示させる。また、コマンドダイヤル１９が操作されず、Ｓ４５の判別が“ＮＯ”になると、処理はＳ４１に戻り、上述した処理が繰り返される。
【００３６】
一方、ライティング調整ボタン１６に対する押下操作が解除されて、Ｓ４３の判別が“ＹＥＳ”である場合、ＣＰＵ２は、Ｓ４４において、ライティング調整ボタン１６による現在の階調コントロール機能の設定状態を不揮発性メモリ３に格納する。例えば、背面モニタ１２の表示面１２ａに図７（ａ）に示す画面が表示されている状態でライティング調整ボタン１６に対する押下操作が解除されると、階調コントロール機能の設定状態が“オン”である情報が不揮発性メモリ３に格納される。また、背面モニタ１２の表示面１２ａに同図（ｂ）に示す画面が表示されている状態でライティング調整ボタン１６に対する押下操作が解除されると、階調コントロール機能の設定状態が“オフ”である情報が不揮発性メモリ３に格納される。その後、背面モニタ１２の表示は元に戻ってスルー画が表示される。Ｓ４４またはＳ４７の処理が終了すると、表示処理Ａは終了する。
【００３７】
図８は、図５，Ｓ３４および図６，Ｓ４７の表示処理Ｂの詳細を示すフローチャートである。
【００３８】
この表示処理Ｂでは、まず、ＣＰＵ２は、図８，Ｓ５１において、図５，Ｓ３３の処理で押下されたと判別された、または図６，Ｓ４２の処理で選択されたと判別されたボタンＢの露出補正ボタン１７とその周囲の筐体面を、図９（ａ）に示すように背面モニタ１２の表示面１２ａに表示する処理を行う。なお、同図（ａ）において図１と同一または相当する部分には同一の符号を付してその説明は省略する。同図（ａ）に示す例では、押下または選択されたと判別された露出補正ボタン１７は点滅表示されている。また、情報表示欄２１には、押下または選択された露出補正ボタン１７を表すアイコンと共に、露出補正ボタン１７による現在の露出補正値が“０．０”に設定されていることが表示されている。
【００３９】
Ｓ５１の処理が終了すると、ＣＰＵ２は、Ｓ５２において、露出補正ボタン１７が押下されたままの状態でマルチセレクタ２０が左方向に操作されたか否かを判別する。マルチセレクタ２０が左方向に操作されて、Ｓ５２の判別が“ＹＥＳ”である場合、ＣＰＵ２は、Ｓ５７において、上述した表示処理Ａ（図６参照）を行う。また、マルチセレクタ２０が操作されていなくて、Ｓ５２の判別が“ＮＯ”である場合、ＣＰＵ２は、Ｓ５３において、露出補正ボタン１７に対する押下操作が解除されたか否かを判別する。露出補正ボタン１７に対する押下操作が解除されていなくて、Ｓ５３の判別が“ＮＯ”である場合、ＣＰＵ２は、Ｓ５５において、露出補正ボタン１７が押下されたままの状態でコマンドダイヤル１９が操作されたか否かを判別する。この判別が“ＹＥＳ”である場合、ＣＰＵ２は、Ｓ５６において、露出補正値を変化させ、情報表示欄２１に表示される露出補正値の表示値を変化させる。例えば、コマンドダイヤル１９が１クリック右方向に操作されたことが判別されると、ＣＰＵ２は、Ｓ５６において、情報表示欄２１に表示される露出補正値の表示値を、図９（ａ）に示すように表示されていた“０．０”から同図（ｂ）に示すように“＋０．３”と変化させる。このＳ５６の処理は、露出補正ボタン１７が押下されたままの状態で、コマンドダイヤル１９が右方向に１クリック操作される毎に、露出補正値を“０．０”，“＋０．３”，“＋０．７”，…というように所定のステップで順次増加させ、増加させた露出補正値を表示値としてその都度情報表示欄２１に表示させる。また、コマンドダイヤル１９が左方向に１クリック操作される毎に、露出補正値を“０．０”，“−０．３”，“−０．７”，…というように所定のステップで順次減少させ、減少させた露出補正値を表示値としてその都度情報表示欄２１に表示させる。また、コマンドダイヤル１９が操作されず、Ｓ５５の判別が“ＮＯ”になると、処理はＳ５１に戻り、上述した処理が繰り返される。
【００４０】
一方、露出補正ボタン１７に対する押下操作が解除されて、Ｓ５３の判別が“ＹＥＳ”である場合、ＣＰＵ２は、Ｓ５４において、現在の露出補正値を不揮発性メモリ３に格納する。例えば、背面モニタ１２の表示面１２ａに図９（ａ）に示す画面が表示されている状態で露出補正ボタン１７に対する押下操作が解除されると、露出補正値が“０．０”である情報が不揮発性メモリ３に格納される。また、背面モニタ１２の表示面１２ａに同図（ｂ）に示す画面が表示されている状態で露出補正ボタン１７に対する押下操作が解除されると、露出補正値が“＋０．３”である情報が不揮発性メモリ３に格納される。その後、背面モニタ１２の表示は元に戻ってスルー画が表示される。Ｓ５４またはＳ５７の処理が終了すると、表示処理Ａは終了する。
【００４１】
このような本実施形態によるデジタルカメラ１によれば、上述したように、背面モニタ１２の表示面１２ａと異なる筐体面に設けられたライティング調整ボタン１６または露出補正ボタン１７が操作されると、図６，Ｓ４１または図８，Ｓ５１の処理で、表示制御手段の制御により、操作されたライティング調整ボタン１６または露出補正ボタン１７、および少なくともその周囲の筐体面が、図７または図９に示すように背面モニタ１２に表示される。このため、背面モニタ１２の表示面１２ａと異なる筐体面に設けられた各ボタン１６，１７を、撮影者が対面する背面モニタ１２の表示面１２ａで視認することが可能になる。従って、撮影者が、背面モニタ１２の表示面１２ａと異なる筐体面に設けられた各ボタン１６，１７の種類や配置などを正確に記憶していない場合でも、従来の撮影装置のように、各ボタン１６，１７が設けられた筐体面を目視できる位置までデジタルカメラ１を引き寄せたり、やみくもに各ボタン１６，１７などの操作部材を操作して手探りするといった無駄な動作を行うことなく、各ボタン１６，１７を操作することができる。
【００４２】
また、本実施形態では、背面モニタ１２の表示面１２ａと異なる筐体面に設けられた１つのライティング調整ボタン１６または露出補正ボタン１７が操作されると、図６，Ｓ４１または図８，Ｓ５１の処理で、表示制御手段の制御により、操作されたライティング調整ボタン１６または露出補正ボタン１７を含む複数の操作部材が、図７または図９に示すように背面モニタ１２に表示される。この際、図６，Ｓ４２およびＳ４７、または図８，Ｓ５２およびＳ５７の処理で、設定機能切換手段により、操作されたボタン１６または１７に対する操作に基づき、操作されたボタン１６または１７とは異なる他のボタン１７または１６によって設定される撮影条件の設定が行える。
【００４３】
つまり、図６に示す表示処理ＡのＳ４２において、ライティング調整ボタン１６が押下されたままの状態でマルチセレクタ２０が操作されると、実際に撮影者によって押下されているボタンはライティング調整ボタン１６のまま変化しないが、その後Ｓ４７で行われる図８に示す表示処理ＢのＳ５１の処理により、背面モニタ１２に表示される画面は、図７に示す状態から図９に示す状態に切り換えられる。このように背面モニタ１２に表示される内容が切り換えられた状態でコマンドダイヤル１９が操作されると、図８，Ｓ５６の処理により、改めて露出補正ボタン１７に対して操作し直すことなく、露出補正ボタン１７によって設定される露出補正値をライティング調整ボタン１６を押したままで変化させることができる。一方、上述した図８に示す表示処理ＢのＳ５２において、露出補正ボタン１７が押下されたままの状態でマルチセレクタ２０が操作されると、実際に撮影者によって押下されているボタンは露出補正ボタン１７のまま変化しないが、その後Ｓ５７で行われる図６に示す表示処理ＡのＳ４１の処理により、背面モニタ１２に表示される画面は、図９に示す状態から図７に示す状態に切り換えられる。このように背面モニタ１２に表示される内容が切り換えられた状態でコマンドダイヤル１９が操作されると、図６，Ｓ４６の処理により、改めてライティング調整ボタン１６に対して操作し直すことなく、ライティング調整ボタン１６によって設定される階調コントロール機能の設定状態を露出補正ボタン１７を押したままで変化させることができる。
【００４４】
このため、背面モニタ１２の表示面１２ａと異なる筐体面に設けられた複数の操作部材の中から、誤って所望のボタンとは異なるボタンを操作した場合であっても、改めて所望のボタンに対して操作し直すことなく、所望のボタンによって設定される撮影条件の設定を、誤って操作したボタンに対する操作によってそのまま行うことが可能になる。この結果、誤って所望のボタンとは異なるボタンを操作した場合であっても、目的とする撮影条件の設定を迅速に行うことができ、好適な撮影機会を逸してしまうことはない。
【００４５】
また、本実施形態では、背面モニタ１２の表示面１２ａの向きは、枢支軸２２によって様々な向きに変化させられ、図６，Ｓ４１または図８，Ｓ５１の処理で表示制御手段によって背面モニタ１２の表示面１２ａに表示される、操作されたライティング調整ボタン１６または露出補正ボタン１７、および少なくともその周囲の筐体面は、様々な方向から視認できる。このため、背面モニタ１２の表示面１２ａを図２（ｂ）に示すように下向きにした状態でデジタルカメラ１を頭上などの高い位置に構えて行うハイアングル撮影や、背面モニタ１２の表示面１２ａを図２（ｃ）に示すように上向きにした状態でデジタルカメラ１を足元などの低い位置に構えて行うローアングル撮影などのように、背面モニタ１２の表示面１２ａの向きを異ならせて撮影を行う場合であっても、撮影者は、背面モニタ１２の表示面１２ａと異なる筐体面に設けられた各ボタン１６，１７を、対面する背面モニタ１２の表示面で視認して操作することができる。
【００４６】
また、本実施形態では、背面モニタ１２の表示面１２ａには、図６，Ｓ４１または図８，Ｓ５１の処理で、表示制御手段により、操作されたライティング調整ボタン１６または露出補正ボタン１７およびその周囲の筐体面と共に、ボタンの種類がボタンに描かれたアイコンによって表示される。さらに、操作されたボタンの種類が情報表示欄２１に表示されるアイコンによって表示される。このため、撮影者は、背面モニタ１２の表示面１２ａと異なる筐体面に設けられた各ボタン１６，１７について、その配置と種類とを把握することができ、撮影条件の設定をより迅速に行うことができる。
【００４７】
なお、上記実施形態では、背面モニタ１２の表示面１２ａと異なる筐体面に、操作部材として、ライティング調整ボタン１６および露出補正ボタン１７を含む複数の操作部材が設けられている場合を説明した。しかしながら、背面モニタ１２の表示面１２ａと異なる筐体面に設けられる操作部材の数や種類は適宜変更可能であり、例えば、背面モニタ１２の表示面１２ａと反対側の筐体面に、１つの操作部材だけを設けた構成とすることも可能である。この構成においても、撮影者が視認することのできない筐体面に設けられた１つの操作部材の配置や種類を確認することが可能になり、上記実施形態と同様な作用・効果が奏される。
【００４８】
また、上記実施形態では、背面モニタ１２の表示面１２ａと異なる筐体面として、デジタルカメラ１の右肩部が背面モニタ１２に表示される場合を説明した。しかしながら、背面モニタ１２に表示される筐体面は、背面モニタ１２の表示面１２ａと異なる面であればよく、例えば、デジタルカメラ１の側面や背面に設けられた操作部材が操作されると、これら側面や背面が背面モニタ１２に表示される構成としてもよい。
【００４９】
また、上記実施形態では、図６，Ｓ４１または図８，Ｓ５１の処理で、押下されたと判別されたボタン１６または１７とその周囲の筐体面が、図７または図９に示すように背面モニタ１２の表示面１２ａに表示される場合を説明した。しかしながら、押下されたと判別されたボタン１６または１７と共に、このボタンが設けられた筐体面全体が背面モニタ１２の表示面１２ａに表示される構成としてもよい。
【００５０】
また、上記実施形態では、操作された各ボタン１６，１７が図７，図９に示すように背面モニタ１２に点滅表示される場合を説明したが、本発明はこれに限られるものではない。操作された各ボタン１６，１７が背面モニタ１２に識別表示される態様は適宜変更可能である。例えば、操作されたボタンが他のボタンと異なる色やコントラストで表示されるようにして、操作されたボタンが識別されるようにしても構わない。
【００５１】
また、上記実施形態では、ボタンの種類がアイコンによってボタン自体や情報表示欄２１に表示される場合を説明したが、本発明はこれに限られるものではない。ボタンの種類が表示面１２ａにおいて文字の説明によって表示されてもよい。また、背面モニタ１２には、操作されたボタンの配置だけが表示され、ボタンの種類が表示されない構成としてもよい。また、撮影者によって操作されたボタンだけの種類が表示される構成としてもよい。
【００５２】
また、上記実施形態では、図６，Ｓ４２およびＳ４７、または図８，Ｓ５２およびＳ５７の処理で、設定機能切換手段により、操作されたライティング調整ボタン１６または露出補正ボタン１７に対する操作により、操作されたボタンとは異なる他のボタン１７または１６によって設定される露出またはライティング調整の撮影条件の設定が行われる場合を説明した。しかしながら、設定機能切換手段により切り換えられるボタンの設定機能はこれに限定されるものではなく、ボタン１６，１７とは異なる設定機能が割り当てられた複数のボタンどうしで、設定機能切換手段により設定機能が切り換えられる構成であってもよい。
【００５３】
また、上記実施形態では、図６，Ｓ４２およびＳ４７、または図８，Ｓ５２およびＳ５７の処理で、設定機能切換手段により、操作されたボタンに対する操作により、操作されたボタンとは異なる他のボタンによって設定される撮影条件の設定が行われる場合を説明した。しかしながら、本発明はこれに限られるものではなく、例えば、図６，Ｓ４２およびＳ４７、または図８，Ｓ５２およびＳ５７の処理を行わず、図６，Ｓ４１または図８，Ｓ５１の処理の後、図６，Ｓ４３〜Ｓ４６、または図８，Ｓ５３〜Ｓ５６の処理が行われるようにして、設定機能切換手段による切り換え処理が行われないようにしてもよい。
【００５４】
また、上記実施形態では、図２（ｂ）に示すように表示面１２ａが下向きになってハイアングル撮影が行われるときに、図５，Ｓ３２またはＳ３４の処理で、各ボタン１６，１７が背面モニタ１２に表示される場合を説明したが、本発明はこれに限られるものではない。例えば、図２（ｃ）に示すように表示面１２ａが上向きになってローアングル撮影が行われるときに、各ボタン１６，１７が背面モニタ１２に表示される構成としても構わない。
【００５５】
また、上記実施形態では、図４，Ｓ２１において、背面モニタ１２の開き角度Ｘが１６０°から２００°の範囲にあるときに、Ｓ２２においてハイアングル表示処理が行われる場合を説明したが、ハイアングル表示処理が行われる開き角度Ｘの範囲は、適宜変更可能である。また、ローアングル撮影が行われるときに各ボタン１６，１７を背面モニタ１２に表示する構成の場合であっても、背面モニタ１２の開き角度Ｘの範囲は、同様に適宜変更可能である。
【００５６】
また、上記実施形態では、背面モニタ１２の開き角度Ｘが１６０°から２００°の範囲にあってハイアングル撮影が行われるときに、操作されたボタン１６または１７とその周囲の筐体面が表示される場合を説明した。しかしながら、このようなハイアングル撮影でなくても、例えば、背面モニタ１２の開き角度Ｘが１８０°から２００°の範囲などにあって、撮影者が自分自身を撮影するような場合に、ボタン１６または１７とその周囲の筐体面が表示されるようにしてもよい。
【００５７】
また、上記実施形態では、枢支軸２２によって背面モニタ１２の表示面１２ａの向きが変化させられるフリーアングルの場合を説明したが、枢支軸２２を備えず、背面モニタ１２がデジタルカメラ１の背面に固定されて、背面モニタ１２の表示面１２ａの向きが変化しない構成とすることも可能である。
【００５８】
また、上記実施形態では、図４，Ｓ２１で、ＣＰＵ２により、開き角度検出部１３によって検出される角度Ｘに基づいて、ハイアングル撮影が行われていると判断される場合を説明したが、本発明はこれに限られるものではない。例えば、デジタルカメラ１の筐体と地面との間の距離を検出するセンサを備え、このセンサの検出結果に基づき、ＣＰＵ２により、デジタルカメラ１が所定の高さ以上または所定の高さ以下になっていると判断された場合に、ハイアングル撮影やローアングル撮影が行われていると判断されるように構成することも可能である。
【００５９】
また、上記実施形態では、単に背面モニタ１２の開き角度Ｘが１６０°から２００°といった所定の角度範囲にある場合に、背面モニタ１２の表示面１２ａに操作されたライティング調整ボタン１６または露出補正ボタン１７とその周囲の筐体面が表示される場合を説明したが、本発明はこれに限られるものではない。例えば、所定時間、背面モニタ１２の開き角度Ｘが所定の角度範囲にある場合に、ボタン１６または１７などの操作部材とその周囲の筐体面が表示されるようにしても構わない。
【００６０】
また、上記実施形態では、ハイアングル撮影が行われる場合にボタン１６または１７とその周囲の筐体面が表示される場合を説明した。しかしながら、ハイアングル撮影やローアングル撮影だけでなく、撮影時などにおいて背面モニタ１２を通常時よりも離れて確認するような場合に、操作部材とその周囲の筐体面が表示されるようにしてもよい。
【００６１】
また、上記実施形態では、ボタン１６または１７を押し間違えたときに、間違えたボタンを操作したままの状態でマルチセレクタ２０を操作することで、設定機能切換手段により、ボタン１６または１７を操作し直すことなく、そのまま撮影条件の設定を行える場合を説明した。しかしながら、ボタン１６または１７を押し間違えた場合、押し間違えたボタンの操作を一端解除し、再度、所望のボタン１６または１７を操作し直すことも可能である。この場合、押し間違えたボタンの操作を解除することで、背面モニタ１２の表示面１２ａにおける表示は、図７または図９に示す画面から通常のスルー画表示に切り換えられることになる。
【００６２】
また、上記実施形態では、本発明による撮影装置を、一眼レフタイプのデジタルカメラ１に適用した場合を説明したが、一眼レフ以外のデジタルカメラに適用することも可能である。
【００６３】
このような各構成によっても、上記実施形態と同様な作用・効果が奏される。
【００６４】
上記実施形態においては、本発明による撮影装置をデジタルカメラに適用した場合について説明したが、カメラ付き携帯電話機や、動画像を撮影するデジタルビデオカメラなどの、表示部を備えた種々の撮影装置に本発明を適用することも可能である。このような撮影装置に本発明を適用した場合においても、上記実施形態と同様な作用効果が奏される。
【符号の説明】
【００６５】
１…デジタルカメラ
２…ＣＰＵ
３…不揮発性メモリ
４…バッファメモリ
１２…背面モニタ
１２ａ…表示面
１３…開き角度検出部
１４…ねじれ角度検出部
１５…シャッターボタン
１６…ライティング調整ボタン
１７…露出補正ボタン
１８…撮影モードダイヤル
１９…コマンドダイヤル
２０…マルチセレクタ
２１…情報表示欄
【図１】
2010226444.tif 000003
【図２】
2010226444.tif 000004
【図３】
2010226444.tif 000005
【図４】
2010226444.tif 000006
【図５】
2010226444.tif 000007
【図６】
2010226444.tif 000008
【図７】
2010226444.tif 000009
【図８】
2010226444.tif 000010
【図９】
2010226444.tif 000011